(57)【特許請求の範囲】
【請求項１】
フィルムにより形成され、液状または流動状の内容物を充填するメイン空間と注出口とを備えたスタンディングパウチにおいて、
サブ空間と、
該サブ空間と該注出口の間に設けられた第１逆止機能部と、
該サブ空間と該メイン空間の間に設けられた第２逆止機能部と、
前記サブ空間に挿入される復元部材と、
前記サブ空間の第２逆止機能部側であって、前記第２逆止機能部の下流側に、前記第２逆止機能部と並列に設けられる遊水ポケット
を備えることを特徴とするスタンディングパウチ。
【請求項２】
前記第１逆止機能部または／および第２逆止機能部は、密着可能な対向する２枚のフィルムから構成される
ことを特徴とする請求項１記載のスタンディングパウチ。
【請求項３】
前記サブ空間は、第２逆止機能部側から第１逆止機能部側に向かって拡幅するように形成されている
ことを特徴とする請求項１または２いずれか記載のスタンディングパウチ。
【請求項４】
連結される複数の前記サブ空間
を備えることを特徴とする請求項１〜３いずれか記載のスタンディングパウチ。
【請求項５】
フィルムにより形成され、液状または流動状の内容物を充填するメイン空間と注出口とを備えた包装容器において、
サブ空間と、
該サブ空間と該注出口の間に設けられた第１逆止機能部と、
該サブ空間と該メイン空間の間に設けられた第２逆止機能部と、
前記サブ空間に挿入される復元部材と、
前記サブ空間の第２逆止機能部側であって、前記第２逆止機能部の下流側に、前記第２逆止機能部と並列に設けられる遊水ポケット
を備えることを特徴とする包装容器。
【発明の詳細な説明】
【技術分野】
【０００１】
本発明は液体等を収容する包装容器に関し、特に自立可能なスタンディングパウチ容器に関する。
【背景技術】
【０００２】
液体石鹸などは、少量を一定量ごとに注出して使うのが一般的である。液体石鹸は樹脂製のハード容器に充填される。手押しポンプによる圧力により吐出される（例えば特許文献１）。
【０００３】
一方で、醤油、ソースなど調味料や、液体石鹸、液体洗剤、柔軟剤などの生活用品等の、液状体または流動体をいわゆるスタンディングパウチ容器により包装することも多い（例えば特許文献２）。スタンディングパウチ容器は、樹脂フィルムを加工して底部を幅広にし、自立可能に形成したものである。
【０００４】
自立可能という特徴により、生産者は製品を段ボール等に効率よく梱包し、効率よく搬送できる。販売者は、店頭において製品を見栄え良く陳列できる。消費者は、家庭において容易に整理や保管できる。
【０００５】
ところで、パウチ容器は、使用後に丸めて減容化でき、省資源化の観点から詰め替え用として用いられることが多かった。省資源化が更に注目され、近年では、容器本体として用いられることも多くなってきた。
【先行技術文献】
【特許文献】
【０００６】
【特許文献１】特開平０８−０７１４６１号公報
【特許文献２】特開平０８−２５８８４６号公報
【発明の概要】
【発明が解決しようとする課題】
【０００７】
スタンディングパウチ容器を容器本体として用いるとき、内容物が調味料、液体洗剤、柔軟剤などの場合、一回に全量を用いることは少なく、適時、必要量のみを注出する。
【０００８】
しかしながら、ポンプ付ハード容器（特許文献１）のように、少量を一定量ごとに注出することが困難であった。
【０００９】
一方、ポンプには上方からの押圧力が作用するため、低剛性のスタンディングパウチ容器にはポンプを取り付けるのは困難であった。
【００１０】
その結果、スタンディングパウチ容器の利便性には限界があった。
【００１１】
本発明は、上記課題を解決するものであり、内容物を少量一定量ごとに注出できるスタンディングパウチ容器や包装容器を提供することを目的とする。
【課題を解決するための手段】
【００１２】
上記課題を解決するために、本発明は、フィルムにより形成され、液状または流動状の内容物を充填するメイン空間と注出口とを備えたスタンディングパウチにおいて、サブ空間と、該サブ空間と該注出口の間に設けられた第１逆止機能部と、該サブ空間と該メイン空間の間に設けられた第２逆止機能部と、を備える。
【００１３】
上記発明において、好ましくは、前記サブ空間に挿入される復元部材を備える。
【００１４】
メイン空間を押圧することにより、内容物がサブ空間に移動する。さらに、サブ空間を押圧することで、少量一定量の内容物が外部空間に注出される。
【００１５】
上記発明において、好ましくは、前記第１逆止機能部または／および第２逆止機能部は、密着可能な対向する２枚のフィルムから構成される。
【００１６】
フィルム間に液体や流状態が介在することによりフィルムは密着する。これにより逆止弁に代替できる。
【００１７】
上記発明において、好ましくは、前記サブ空間の第２逆止機能部側に設けられる遊水ポケットを備える。
【００１８】
上記発明において、好ましくは、前記サブ空間は、第２逆止機能部側から第１逆止機能部側に向かって拡幅するように形成されている。
【００１９】
これにより第２逆止機能部の逆止機能が向上する。
【００２０】
上記発明において、好ましくは、連結される複数の前記サブ空間を備える。
【００２１】
これにより効果が倍増する。
【００２２】
上記課題を解決するために、本発明は、フィルムにより形成され、液状または流動状の内容物を充填するメイン空間と注出口とを備えた包装容器において、サブ空間と、該サブ空間と該注出口の間に設けられた第１逆止機能部と、該サブ空間と該メイン空間の間に設けられた第２逆止機能部と、を備える。
【００２３】
本発明は、スタンディングパウチ容器以外の包装容器にも適用できる。
【発明の効果】
【００２４】
本発明のスタンディングパウチ容器によれば、内容物を少量一定量ごとに注出できる。
【図面の簡単な説明】
【００２５】
【図１】全体斜視図（第１実施形態）
【図２】全体斜視図（変形例）
【図３】要部構成図
【図４】復元部材（変形例）
【図５】復元部材（変形例）
【図６】動作説明図（内容物が多量の場合）
【図７】動作説明図（内容物が少量の場合）
【図８】全体斜視図（第２実施形態）
【図９】要部構成図
【図１０】動作説明図
【図１１】要部構成図（変形例）
【図１２】復元部材（変形例）
【図１３】要部構成図（第３実施形態）
【図１４】全体斜視図（第４実施形態）
【図１５】全体斜視図（第５実施形態）
【発明を実施するための形態】
【００２６】
本願発明の実施形態について、図を用いて説明する。図１〜７は第１実施形態に関し、図８〜１２は第２実施形態に関し、図１３は第３実施形態に関し、図１４は第４実施形態に関し、図１５は第５実施形態に関する。
【００２７】
＜第１実施形態＞
〜構成〜
図１は、第１実施形態に係るスタンディングパウチ容器の全体斜視図である。図２は、変形例である。
【００２８】
一般的なスタンディングパウチ容器は、２枚の対向する側面フィルム１１、１２と、底面フィルム１３とから構成され、フィルム同士の外縁を溶着して外縁シール部１４を形成することにより、成形される。フィルム１１〜１３には軟質な合成樹脂（例えば、積層の内層がリニアポリエチレンLLPEなどのオレフィン系樹脂）が用いられることが多い。フィルム１１、１２には、一般に、商品名や商品ロゴなどが印刷されている。
【００２９】
底部１３が形成されることにより、容器形状は底部方向に幅広になり、側面フィルム１１、１２下端に脚部１５が形成される。これにより、スタンディングパウチ容器は安定的に自立可能になる。
【００３０】
容器内部には充填空間（メイン空間）１６が形成される。メイン空間１６には、醤油など調味料や、液体洗剤、柔軟剤などの生活用品等の、液状体または流動体（内容物）が充填される。
【００３１】
スタンディングパウチ容器は、スパウトと呼ばれる注出口１７と、注出口１７に設けられたキャップ１８を備える。キャップ１８はネジキャプでも、ヒンジキャップでもよい。
【００３２】
図３は要部構成の詳細図である。本実施形態は、特徴的な構成としてサブ空間２０を備えている。サブ空間２０はセパレートシールを介して容器本体内に設けられていても良いし（図１参照）、容器本体外に連続して設けられていても良い（図２参照）。容器本体外の場合は、２枚の対向する側面フィルム１１、１２が延長している。
【００３３】
サブ空間２０の一方は注出口１７に連通し、他方はメイン空間１６に連通する。サブ空間２０と注出口１７の間に第１逆止弁２１が設けられる。サブ空間２０とメイン空間１６の間に第２逆止弁２２が設けられる。
【００３４】
逆止弁２２を介して、メイン空間１６とサブ空間２０とは連続している。内容物は逆止弁２２を介してメイン空間１６からサブ空間２０へ移動可能であるが、サブ空間２０からメイン空間１６へは移動できない。
【００３５】
逆止弁２１および注出口１７を介して、外部空間とサブ空間２０とは連続している。内容物は逆止弁２１および注出口１７を介してサブ空間２０から外部空間へ移動（注出）可能であるが、外部空間からサブ空間２０へは移動できない。
【００３６】
サブ空間２０は、両端に配設される２つの船形材２４，２５により形成される。すなわち、船形材２４，２５の断面積および配設間隔が、サブ空間２０の容量を規定する。
【００３７】
逆止弁２１は船形材２４に介装される。逆止弁２２は船形材２５に介装される。
【００３８】
船形材２４，２５には、たとえばポリエチレンPEなどのオレフィン系樹脂が用いられ、溶着により船形材シール部が形成され、船形材２４，２５はフィルム１１、１２に固定される。これにより、サブ空間２０の寸法及び形状が定められる。
【００３９】
サブ空間２０には復元チューブ２７が挿入されている。復元チューブ２７は、サブ空間２０の形状・寸法に対応する形状・寸法をしている。すなわち、船形材２４，２５断面形状に内包される楕円形状の断面を有し、チューブ長は船形材２４，２５配設間隔より短い。
【００４０】
復元チューブ２７は、外部からの押圧により減容変形し、押圧解除により徐々に元の形状・寸法に復元する。復元チューブ２７にゴム等の弾性部材が用いられる。
【００４１】
復元チューブ２７は、フィルム１１、１２に溶着され固定されることが好ましいが、復元チューブ２７がサブ空間２０に介挿されているだけでもよい。
【００４２】
さらに、復元チューブ２７およびフィルム１１（または／およびフィルム１２）のサブ空間２０に対応する箇所が、透明または半透明であると、注出量を目算できるため、好ましい。
【００４３】
図４は、復元部材の変形例である。復元部材７１は、チューブ形状に限定されない。復元部材７１は、２つの弾性リングと、それらを連結する連結部材から構成される。サブ空間２０の形状・寸法に対応し、サブ空間２０の空間形成を阻害しないこと、減縮変形機能かつ自然復元機能を満たせば、いずれの形態でもよい。
【００４４】
図５は、復元部材の別の変形例である。復元部材７２は、剛リング部７３と、リング内に設けられた復元部７４とをからなる皿形状をしている。２つの皿が相対向する。皿の間に流路空間が形成される。
【００４５】
サブ空間２０に内容物が充填された状態で、両側の復元部７４を押圧する（図５ａ）と、サブ空間２０が減容変形し、内容物を注出する（図５ｂ）。
【００４６】
また、サブ空間２０自体が減縮変形機能かつ自然復元機能を有すれば、復元部材は必須ではない。
【００４７】
〜動作〜
本実施形態のスタンディングパウチ容器の動作（使用例）について説明する。
【００４８】
消費者が店頭で製品を購入する際は、内容物漏洩防止のためスタンディングパウチ容器はキャップ１８により閉栓されているが、開封後はキャップ１８を閉めなくともよい。
【００４９】
図６は、内容物が多量の場合の使用例である。
【００５０】
スタンディングパウチ容器内に内容物が多量に充填されている（図６（ａ））。この状態では、メイン空間１６の水頭圧が逆止弁２２に作用するが、水頭差も少なく、メイン空間１６の水頭圧だけでは、内容物が逆止弁２２を通過してサブ空間２０へ移動することはない。
【００５１】
ここでいう水頭圧とは、液体の位置エネルギーによる圧力であり、液体は水に限定されない。なお、内容物には醤油など調味料や、液体洗剤、液体石鹸、柔軟剤などの生活用品等を想定している。
【００５２】
メイン空間１６における側面フィルム１１、１２に指で圧力を作用させると、圧力および作用時間に応じて、内容物は逆止弁２２を通過してメイン空間１６からサブ空間２０へ移動する（図６（ｂ））。何回か体験すれば、押圧加減の感覚は習得可能である。押圧加減次第で内容物の移動量は異なるが、多少の誤差はあっても、少量であれば誤差の影響は少なく、ほぼ定量とみなす。概ねサブ空間２０の６〜８割程度の内容物が収容される。
【００５３】
一度、サブ空間２０に収容された内容物は、逆止弁２２によりメイン空間１６に戻らない。一方で、過剰に押圧しない限り、内容物が逆止弁２１を通過してサブ空間２０から外部空間へ移動することはない。
【００５４】
次に、スタンディングパウチ容器を傾けた状態で、復元チューブ２７相当箇所の側面フィルム１１、１２を押圧する。復元チューブ２７の減容変形に伴い、サブ空間２０に収容された内容物が逆止弁２１を通過して注出口１７より外部空間へ注出される（図６（ｃ））。
【００５５】
一方、スタンディングパウチ容器を傾けた状態では水頭差も少なく、メイン空間１６に圧力を作用させなければ（内容物のない箇所を持てば）、メイン空間１６の内容物がサブ空間２０へ移動することはなく、必要以上に注出されることもない。
【００５６】
これにより、内容物を一定量ごとに注出できる。サブ空間２０はメイン空間１６に比べて少量であり、注出量も少量となる。少量であれば、多少誤差があっても影響は少なく、定量と見なすことができる。
【００５７】
押圧解除により復元チューブ２７は徐々に元の形状・寸法に復元する。このとき逆止弁２１により、外気が流入することがない。一方、内容物を逆止弁２２を通過させてサブ空間２０へ移動させるだけの外的要因もない。したがって、サブ空間２０は擬似真空状態（実際は負圧が発生すると思われる）となる。これにより、その後、簡単な操作により、半自動的にメイン空間１６の内容物は、サブ空間２０へ移動する。
【００５８】
図７は、内容物が少量の場合の使用例である。
【００５９】
スタンディングパウチ容器内に内容物が少量に充填されている（図７（ａ））。この状態で、側面フィルム１１、１２に指で圧力を作用させても、水頭圧不足のため内容物がメイン空間１６からサブ空間２０へ移動しないおそれがある。
【００６０】
ところで、フィルム１１〜１３は軟質であり、スタンディングパウチ容器端部を丸めることができる。スタンディングパウチ容器端部を丸めると、メイン空間１６の断面積が減り、内容物の高さが増え、水頭圧も増える。この状態で、側面フィルム１１、１２に指で圧力を作用させると、圧力および作用時間に応じて、内容物は逆止弁２２を通過してメイン空間１６からサブ空間２０へ移動する（図７（ｂ））。
【００６１】
次に、スタンディングパウチ容器を傾けた状態で、復元チューブ２７相当箇所の側面フィルム１１、１２を押圧し、内容物を逆止弁２１を通過させて注出口１７より注出する。（図７（ｃ））。
【００６２】
押圧解除により復元チューブ２７は復元し、サブ空間２０は擬似真空状態となる。
【００６３】
〜効果〜
・主な効果
従来のスタンディングパウチ容器は、ポンプ付ハード容器のように、少量を一定量ごとに注出することが困難であった。
【００６４】
これに対し、本実施形態のスタンディングパウチ容器は、簡単な構成により、内容物を少量一定量ごとに注出できる。また、スタンディングパウチ容器の長所を維持している。
【００６５】
・その他の効果（１）
【００６６】
一般に、内容物が調味料等の食品の場合、一度キャップを開け、内容物が大気に触れると、酸化等の劣化が開始する。内容物が液体石鹸、液体洗剤、柔軟剤などの生活用品等であっても、徐々に劣化する。
【００６７】
本実施形態では、注出後にサブ空間２０が擬似真空状態になることにより、内容物が大気に触れることが抑制されるため、酸化等の内容物劣化を抑制できる。また、その後簡単な操作で半自動的に内容物はメイン空間１６からサブ空間２０に移動する。
【００６８】
・その他の効果（２）
一般に、キャップを外した状態で、スタンディングパウチ容器を倒すと、内容物が流失する。
【００６９】
本実施形態では、通常、メイン空間１６に圧力を作用させなければ、メイン空間１６の内容物が逆止弁２２を通過してサブ空間２０へ移動することはない。仮に転倒時の衝撃圧により、サブ空間２０へ移動したとしても、サブ空間２０に圧力を作用させなければ、サブ空間２０の内容物が逆止弁２１を通過して外部空間へ移動することはない。したがって、スタンディングパウチ容器が倒れても、内容物が流失することはない。
【００７０】
・その他の効果（３）
【００７１】
従来のスタンディングパウチ容器では、外気接触抑制および転倒時流失防止の観点から、キャップによる遂次閉栓が必須であった。
【００７２】
これに対し、本実施形態のスタンディングパウチ容器では、外気接触抑制効果および転倒時流失防止効果が期待できるため、最初に開栓すれば、日常的なキャップによる閉栓は不要である。これにより、利便性が格段に向上する。
【００７３】
・その他の効果（４）
【００７４】
従来のスタンディングパウチ容器は、少量を一定量ごとに注出することが困難であるとともに、注出量の計量が困難であった。
【００７５】
本実施形態のスタンディングパウチ容器は、内容物を少量一定量ごとに注出できる。なお、押圧加減により多少誤差を含むため厳密には定量ではないが、少量であれば、誤差の影響は少なく、定量と見なすことができる。少量定量注出を複数回繰り返すことにより、注出量の計量が可能になる。例えば、１回約５ｃｃの注出を３回繰り返すことで、約１５ｃｃの計量が可能となる。
【００７６】
＜第２実施形態＞
〜構成〜
微小間隔で対向する２枚のフラットフィルムの間に、液体が介在すると、２枚のフラットフィルムが密着することが知られている。フラットフィルムの間には不可避的に微細空間が形成されるため、少しでも液体があれば、毛細管現象により液体は微細空間に侵入する。これにより、２枚のフラットフィルムは弁として機能する。
【００７７】
第１実施形態において逆止弁２１，２２を用いるのに対し、第２実施形態においては、フィルムの密着性を利用する。
【００７８】
図８は、第２実施形態に係るスタンディングパウチ容器の全体斜視図である。図９は要部構成図である。基本構成は第１実施形態と共通であり、詳細を省略する。サブ空間２０の一方は注出口１９に連通し、他方はメイン空間１６に連通する点も共通する。
【００７９】
サブ空間２０には復元チューブ２７が挿入されている点も共通する。復元チューブ２７は、サブ空間２０の形状・寸法に対応する形状・寸法をしている。復元チューブ２７は、フィルム１１、１２に溶着され固定されることが好ましい。
【００８０】
第２実施形態では、サブ空間２０と注出口１９の間に第１逆止機能部３１が設けられる。サブ空間２０とメイン空間１６の間に第２逆止機能部３２が設けられる。
【００８１】
第１逆止機能部３１および第２逆止機能部３２は、２枚の対向するフィルム１１、１２から構成される。第１逆止機能部３１および第２逆止機能部３２に対し、周辺シール部３３，３４の面積割合を大きくして、当該箇所のフィルム１１、１２の変形を抑制する。一方、流方向幅に比べ流方向長さを長くし、密着面積を増やす。
【００８２】
第１逆止機能部３１および第２逆止機能部３２に相当するフィルム１１、１２間に液体（流状体）が介在すると、２枚のフラットフィルムは密着して弁として機能する。外的要因が作用しなければ、弁は閉じられた状態を維持する。
【００８３】
第２逆止機能部３２の流方向長さを第１逆止機能部３１に比べて長くし、流れ抵抗を大きくすると、なお良い。
【００８４】
〜動作〜
第２実施形態のスタンディングパウチ容器の動作（使用例）について説明する。基本的な動作については第１実施形態と同様である。
【００８５】
図１０は、第２実施形態の動作説明図である。主に、第１逆止機能部３１および第２逆止機能部３２の逆止機能について説明する。
【００８６】
消費者が店頭で製品を購入する際は、内容物漏洩防止のためスタンディングパウチ容器はシールにより密封されているが、先端部を切断除去することにより注出口１９が形成される。
【００８７】
スタンディングパウチ容器のメイン空間１６に内容物が充填されている（図１０（ａ））。第１逆止機能部３１および第２逆止機能部３２は閉じられている（後述）。スタンディングパウチ自立状態において、メイン空間１６の水頭圧が第２逆止機能部３２に作用することもなく、内容物が第２逆止機能部３２を通過してサブ空間２０へ移動することはない。
【００８８】
メイン空間１６における側面フィルム１１、１２に指で圧力を作用させると、圧力が伝播して第２逆止機能部３２が開く。圧力および作用時間に応じて、内容物は第２逆止機能部３２を通過してメイン空間１６からサブ空間２０へ移動する（図１０（ｂ））。なお、過剰に押圧しない限り、内容物が第１逆止機能部３１を通過してサブ空間２０から外部空間へ移動することはない。
【００８９】
サブ空間２０に収容された内容物が、第２逆止機能部３２を逆流してメイン空間１６に戻らないように、スタンディングパウチ容器を傾ける。サブ空間２０における水頭圧が第２逆止機能部３２に作用することを軽減する。
【００９０】
この状態で、復元チューブ２７相当箇所の側面フィルム１１、１２を押圧する。復元チューブ２７の減容変形に伴い、第１逆止機能部３１が開く。サブ空間２０に収容された内容物が第１逆止機能部３１を通過して注出口１９より外部空間へ注出される（図１０（ｃ））。
【００９１】
復元チューブ２７押圧により、内容物が第２逆止機能部３２を逆流するおそれもある。しかしながら、サブ空間２０において、第１逆止機能部３１側は外気圧のみしか作用しておらず、流れ抵抗が小さいのに対し、第２逆止機能部３２側はメイン空間１６の水頭圧が作用しており、流れ抵抗が大きい。また、第２逆止機能部３２の流方向長さは第１逆止機能部３１に比べて長く、流れ抵抗も大きい。抵抗の違いにより、第２逆止機能部３２での逆流を抑制できる。結果的に、第２逆止機能部３２が逆止弁として機能する。
【００９２】
仮に逆流が起きた場合でも、メイン空間１６の水頭圧と相殺される。したがって、逆流が発生する可能性は低い。また、注出動作は一瞬（１秒未満）であるので、メイン空間１６の水頭圧により内容物が第２逆止機能部３２を通過してサブ空間２０へ移動することもない。
【００９３】
これにより、内容物を一定量ごとに注出できる。
【００９４】
ところで、微量の内容物が注出されず、第１逆止機能部３１、サブ空間２０、第２逆止機能部３２に残る。サブ空間２０に残った内容物は毛細管現象により第１逆止機能部３１または第２逆止機能部３２に移動する。これにより、フィルム同士が密着し、第１逆止機能部３１および第２逆止機能部３２は閉じられる。
【００９５】
注出後は、スタンディングパウチ自立状態に戻す。一方、押圧解除により復元チューブ２７は徐々に元の形状・寸法に復元する（図１０（ｄ））。サブ空間２０は擬似真空状態となる。
【００９６】
これにより、フィルム同士の密着性が向上し、第１逆止機能部３１および第２逆止機能部３２はより確実に閉じられる。このとき第１逆止機能部３１により、外気が流入することがない。結果的に、第１逆止機能部３１が逆止弁として機能する。
【００９７】
その後簡単な操作で半自動的に内容物はメイン空間１６からサブ空間２０に移動する。
【００９８】
〜効果〜
第１逆止機能部３１および第２逆止機能部３２が逆止弁として機能することにより、少量定量注出ができることはもちろん、第１実施形態と同等の効果（劣化防止、流出防止、利便性向上、計量可能）が得られる。
【００９９】
さらに、第１実施形態に比べて、より簡単な構成となり、製造手間および製造コストの軽減を図ることができる。
【０１００】
〜変形例〜
図１１は、第２実施形態の変形例に係る要部平面図である。第２逆止機能部３２の逆止機能を向上させたものである。逆流を抑制する２つの構成３５，３７が付加されている。
【０１０１】
サブ空間３０において、第２逆止機能部３２との境界の両側には、遊水ポケット３５が設けられている。言い換えると遊水ポケット３５はサブ空間３０から第２逆止機能部３２側に向かって延設されている。遊水ポケット３５の空間は、サブ空間３０に比べて微小である。
【０１０２】
サブ空間３０には復元チューブ３７が挿入されている。復元チューブ３７は、サブ空間２３の形状・寸法に対応する形状・寸法をしている。復元チューブ３７は、フィルム１１、１２に溶着され固定されることが好ましい。
【０１０３】
サブ空間３０および復元チューブ３７は第２逆止機能部３２側から第１逆止機能部３１側に向かって拡幅するように形成されている。
【０１０４】
復元チューブ３７と第２逆止機能部３２との間に空間が設けられ、この空間は第２逆止機能部３２および遊水ポケット３５に連続している。
【０１０５】
ところで、流体は、流れ抵抗の大きい流路を避けて流れ抵抗の小さい流路を好む性質がある。
【０１０６】
復元チューブ３７において、第１逆止機能部３１側は拡幅であり流れ抵抗が小さいのに対し、第２逆止機能部３２側は縮幅であり流れ抵抗が大きい。復元チューブ３７相当箇所を押圧すると、サブ空間３０は減容する。このとき、第１逆止機能部３１側への流量は多く、第２逆止機能部３２側への流量は少ない。
【０１０７】
一方、遊水ポケット３５は常時開放されて流れ抵抗が小さいのに対し、第２逆止機能部３２は閉じられて流れ抵抗が大きい。
【０１０８】
第２逆止機能部３２側へ移動した内容物の多くが遊水ポケット３５に流れるため、第２逆止機能部３２を逆流しようとする内容物は微量である。逆流流量が微量であれば、第２逆止機能部３２が開くことはない。
【０１０９】
遊水ポケット３５および拡幅形状３０，３７により、第２逆止機能部３２での逆流を確実に抑制できる。結果的に、第２逆止機能部３２が逆止弁として機能する。
【０１１０】
なお、遊水ポケット３５、拡幅形状３０，３７のいずれかで充分な効果が期待できる場合は、一方の構成のみでもよい。
【０１１１】
遊水ポケット３５および／または拡幅形状３０，３７は第１実施形態に適用しても良いし、第３実施形態に適用してもよい。仮に、逆止弁２２の逆止機能が高機能でなくても、補強により確実な逆止機能が得られる。
【０１１２】
図１２は、復元部材の変形例である。具体的には、復元チューブ３７の変形例である。復元部材は、板状バネ７５と、バネ支点に設けられる開口７６から構成される。
【０１１３】
ところで板状バネ７５において、第１逆止機能部３１側は開放されており流れ抵抗が小さいのに対し、第２逆止機能部３２側は開口７６により絞られるため流れ抵抗が大きい。
【０１１４】
サブ空間３０に内容物が充填された状態で、板状バネ７５の両側を押圧する（図１２ａ）と、サブ空間３０が減容変形する。このとき、第１逆止機能部３１側への流量は多く、第２逆止機能部３２側への流量は少ない。すなわち、第２逆止機能部３２が開くことはない。
【０１１５】
サブ空間３０に収容された内容物が第１逆止機能部３１を通過して注出口１９より外部空間へ注出される（図１２ｂ）。
【０１１６】
＜第３実施形態＞
図１３は、第３実施形態に係るスタンディングパウチ容器の要部平面図である。第３実施形態は、第１実施形態と第２実施形態とを合わせたものである。基本構成は第１実施形態と共通であり、詳細を省略する。サブ空間２０の一方は注出口１９に連通し、他方はメイン空間１６に連通する点も共通する。
【０１１７】
サブ空間２０には復元チューブ２７が挿入されている点も共通する。復元チューブ２７は、サブ空間２０の形状・寸法に対応する形状・寸法をしている。復元チューブ２７は、フィルム１１、１２に溶着され固定されることが好ましい。
【０１１８】
第３実施形態では、サブ空間２０と注出口１９の間に第１逆止機能部３１が設けられる。第１逆止機能部３１は、２枚の対向するフィルム１１、１２から構成される。第１逆止機能部３１に対し、周辺シール部３３の面積割合を大きくして、当該箇所のフィルム１１、１２の変形を抑制する。一方、流方向幅に比べ流方向長さを長くし、密着面積を増やす。第１逆止機能部３１に相当するフィルム１１、１２間に液体（流状体）が介在すると、２枚のフラットフィルムは密着して弁として機能する。
【０１１９】
サブ空間２０の他端（第１逆止機能部３１側と反対側）に船形材２５が配設される。第２逆止弁２２は船形材２５に介装される。これにより、サブ空間２０とメイン空間１６の間に第２逆止弁２２が設けられる。
【０１２０】
第１逆止機能部３１の動作は、第２実施形態と同様である。その他の構成の動作は、第１実施形態と同様である。
【０１２１】
本実施形態においても、少量定量注出ができることはもちろん、第１実施形態と同等の効果（劣化防止、流出防止、利便性向上、計量可能）が得られる。
【０１２２】
＜第４実施形態＞
第１〜３実施形態では、サブ空間は一つであるが、第４実施形態では、複数のサブ空間が流れ方向直列に連結している。複数のサブ空間は、第１〜３実施形態に適用可能である。ここでは、第１実施形態に適用する例について説明する。
【０１２３】
図１４は、第４実施形態に係る包装容器の全体斜視図である。２つのサブ空間２０，２９が連結している。その他の構成は第１実施形態（図１）と同じである。
【０１２４】
サブ空間２９の動作は、サブ空間２０と同様である。すなわち、サブ空間２０を押圧すると、内容物は逆止弁２１を通過してサブ空間２０からサブ空間２９へ移動する。
【０１２５】
次に、スタンディングパウチ容器を傾けた状態で、復元チューブ２８相当箇所の側面フィルム１１、１２を押圧し、内容物を逆止弁２３を通過させて注出口１７より注出する。押圧解除により復元チューブ２８は復元し、サブ空間２９は擬似真空状態となる。
【０１２６】
第１実施形態に適用する例について説明したが、第２〜３実施形態にも適用可能である。第４実施形態も、第１〜３実施形態と同様の効果を有する。サブ空間が２つあることで、効果は倍増する。
【０１２７】
＜第５実施形態＞
第１〜４実施形態は、本願発明をスタンディングパウチ容器に適用したものであるが、第４実施形態は、本願発明をスタンディングパウチ容器でない包装容器に適用したものである。
【０１２８】
図１５は、第４実施形態に係る包装容器の全体斜視図である。第１〜３実施形態のスタンディングパウチ容器は、底部１３と脚部１５があるのに対し、第４実施形態の包装容器は、下部にも外縁シール部１４が設けられている。そのため、自立することはできないが、その他の構成はスタンディングパウチ容器と同じであり、容器としての機能も同様である。
【０１２９】
また、自立型紙製外容器４０と組み合わせて複合容器とすることにより、スタンディングパウチ容器と同様に機能する。
【０１３０】
更に、第１〜３実施形態で説明した特徴的構成は、全て包装容器に適用可能である。
【０１３１】
第５実施形態も、第１〜４実施形態と同様の効果を有する。
【符号の説明】
【０１３２】
１１，１２  側面フィルム
１３  底面フィルム（底部）
１４  外縁シール部
１５  脚部
１６  メイン空間
１７  注出口
１８  キャップ
１９  注出口
２０  サブ空間
２１  逆止弁
２２  逆止弁
２３  逆止弁
２４  船形材
２５  船形材
２６  船形材
２７  復元チューブ
２８  復元チューブ
３０  サブ空間
３１  逆止機能部
３２  逆止機能部
３３，３４  シール
３５  遊水ポケット
３７  復元チューブ
４０  自立型紙製外容器
７１  復元部材
７２  復元部材
７３  剛リング部
７４  復元部
７５  復元板バネ
７６  開口
【図１】
0006322532.tif 000002
【図２】
0006322532.tif 000003
【図３】
0006322532.tif 000004
【図４】
0006322532.tif 000005
【図５】
0006322532.tif 000006
【図６】
0006322532.tif 000007
【図７】
0006322532.tif 000008
【図８】
0006322532.tif 000009
【図９】
0006322532.tif 000010
【図１０】
0006322532.tif 000011
【図１１】
0006322532.tif 000012
【図１２】
0006322532.tif 000013
【図１３】
0006322532.tif 000014
【図１４】
0006322532.tif 000015
【図１５】
0006322532.tif 000016